(57)【要約】【課題】従来の方法では、トランスが２個構成となっているため制御回路を含めた回路規模が大きくコストも高いという課題を有していた。【解決手段】値の違う２出力を供給するトランス構成を有し、そのスイッチングトランスの１次巻線及びスイッチング素子を制御する制御巻線を含む１次側スイッチング回路と、スイッチングトランスの２つの２次巻線出力電圧を整流するためのそれぞれの電圧整流回路、その整流された直流電圧を安定化するためのそれぞれの電圧安定化回路、その安定化された直流電圧のうちの基準となる直流電圧の変動を前記１次側スイッチング回路に帰還させることで１次側スイッチング動作を制御し電圧安定回路の出力直流電圧値を一定にするための制御をするスイッチング制御回路、ＰＤＰのパネルを駆動するための回路を備え、ＰＤＰ駆動回路用基準電圧をフィードバック回路構成とする。【選択図】図１
2006149111.tif 000002
【特許請求の範囲】
【請求項１】
互いに違う２つの電圧を出力するためのトランスを有したＲＣＣスイッチング電源を用いたＰＤＰの駆動回路において、２つの出力を持つスイッチングトランスと、そのスイッチングトランスの１次巻線及びスイッチング素子を制御する制御巻線を含む１次側スイッチング回路と、スイッチングトランスの２つの２次巻線出力電圧を整流するためのそれぞれの電圧整流回路、その整流された直流電圧を安定化するためのそれぞれの電圧安定化回路と、その安定化された直流電圧のうちの基準となる直流電圧の変動を前記１次側スイッチング回路に帰還させることで１次側スイッチング動作を制御し電圧安定回路の出力直流電圧値を一定にするための制御をするスイッチング制御回路と、ＰＤＰのパネルを駆動するための回路を備え、１つのトランスで２つの電圧出力中の１つの電圧を帰還させることで２つの出力電圧の安定化を可能としたことを特徴とするＰＤＰ駆動回路ＲＣＣスイッチング電源。
【発明の詳細な説明】
【技術分野】
【０００１】
本発明は、ＰＤＰ駆動回路のＲＣＣ（リンギングチョークコンバータ）スイッチング電源に関するものである。
【背景技術】
【０００２】
以下に、従来のＲＣＣスイッチング電源について２つの引例で説明する。図２は先行例である公開公報に記されたＲＣＣスイッチング電源を示すものである。
【０００３】
図２において２１は入力端子、２４は入力ＧＮＤ端子、２７は１次側電源整流回路、３２は主スイッチング回路、９はスイッチングトランジスタ、１はスイッチングトランス、２６は２次側整流平滑回路、３０は過電流検出回路、３１は電流検出抵抗、６はスイッチング制御回路、５３は低出力電圧時発振停止回路、６５は外部直流電源低下検出回路、７３は直流出力端子、７４は出力側ＧＮＤ端子、７５は外部制御入力端子（Ｖｃｏｎｔ）、７６は外部直流電源である。このように構成されて１つの出力電圧を安定させて出力するＲＣＣスイッチング電源動作をし、出力直流電圧が必要出力電圧以下の時に９のスイッチングトランジスタを非導通状態にして３２の主スイッチング回路を停止させる６５の外部直流電源低下検出回路を備えたことを特徴としたＲＣＣスイッチング電源構成である。
【０００４】
更にもう一つの従来技術を図３で説明する。図３は従来のＰＤＰ駆動回路ＲＣＣスイッチング電源のブロック構成図である。図３において１／１１はスイッチングトランス、２／２２は直流電源、３／３３は１次側スイッチング回路、４／４４は電圧整流回路、５／５５は電圧安定化回路、６／６６はスイッチング制御回路、７はＰＤＰパネル駆動回路、８はＰＤＰパネル駆動回路用基準電圧、９／９９はスイッチングトランジスタである。このように構成されたＲＣＣスイッチング電源において回路動作としては同じ回路が２つあるので１つの回路で説明する。
【０００５】
２の直流電源から１０の抵抗器を通して９のスイッチングトランジスタのベースに起動用電圧がまず印加されそのスイッチングトランジスタのコレクタラインに１のスイッチングトランスの１次巻線を通して電流が流れ初期動作を開始する。このスイッチング動作制御としては、１のスイッチングトランスの２次巻線とその２次巻線出力電圧を整流するための４の電圧整流回路さらにその整流された直流電圧を安定化させる５の電圧安定回路、その負荷となる７のＰＤＰパネル駆動回路が接続され、この７のＰＤＰ駆動回路の動作負荷条件によって５の電圧安定回路の出力電圧が変動する。これを６のスイッチング制御回路によって３の１次側スイッチング回路に負荷条件を帰還させることでその負荷条件下で５の電圧安定化回路出力電圧が一定となるようにスイッチング周波数を制御し電圧の安定化を実現している。図２の従来例も基本動作は同じである。
【特許文献１】特開平９−２８５１２２号公報
【発明の開示】
【発明が解決しようとする課題】
【０００６】
しかしながらこのような２例の構成では、図２の引例１については、まず目的がチョッパー型スイッチングレギュレータやフォワード型スイッチングレギュレータという非常に大規模な回路構成を有する回路の代わりとしてのＲＣＣスイッチング電源の採用ということと、そのＲＣＣスイッチング電源出力電圧が１つであることである。
【０００７】
図３の引例２については２つの出力電圧が必要なＰＤＰパネル駆動回路用としてＲＣＣスイッチング電源回路がスイッチングトランスやスイッチング制御回路など２つ必要となり回路規模が非常に大きくなっている。
【課題を解決するための手段】
【０００８】
本発明は、ＰＤＰ駆動回路ＲＣＣスイッチング電源に関するものでり、互いに違う２つの電圧を出力するためのトランスを有したＲＣＣスイッチング電源を用いたＰＤＰの駆動回路において、２つの出力を持つスイッチングトランスと、そのスイッチングトランスの１次巻線及びスイッチング素子を制御する制御巻線を含む１次側スイッチング回路と、スイッチングトランスの２つの２次巻線出力電圧を整流するためのそれぞれの電圧整流回路、その整流された直流電圧を安定化するためのそれぞれの電圧安定化回路、その安定化された直流電圧のうちの基準となる直流電圧の変動を前記１次側スイッチング回路に帰還させることで１次側スイッチング動作を制御し電圧安定回路の出力直流電圧値を一定にするための制御をするスイッチング制御回路、ＰＤＰのパネルを駆動するための回路を備え、この構成により、１つのトランスで２つの電圧出力中の１つの電圧を帰還させることで２つの出力電圧の安定化を可能とするものである。
【発明の効果】
【０００９】
本発明は上記課題を解決しようとするもので、ＰＤＰ駆動回路ＲＣＣスイッチング電源の構成でスイッチングトランスや１次側スイッチング回路、スイッチング制御回路が１つで構成され回路規模の縮小が実現されている。
【発明を実施するための最良の形態】
【００１０】
本発明は、互いに違う２つの電圧を出力するためのトランスを有したＲＣＣスイッチング電源を用いたＰＤＰの駆動回路において、２つの出力を持つスイッチングトランスと、そのスイッチングトランスの１次巻線及びスイッチング素子を制御する制御巻線及びスイッチングトランジスタを含む１次側スイッチング回路と、スイッチングトランスの２つの２次巻線出力電圧を整流するためのそれぞれの電圧整流回路、その整流された直流電圧を安定化するためのそれぞれの電圧安定化回路、その安定化された直流電圧のうちの基準となる直流電圧の変動を前記１次側スイッチング回路に帰還させることで１次側スイッチング動作を制御し電圧安定回路の出力直流電圧値を一定にするための制御をするスイッチング制御回路、ＰＤＰのパネルを駆動するための回路という構成を有している
【実施例１】
【００１１】
図１は、本発明の実施例１におけるＰＤＰ駆動回路ＲＣＣスイッチング電源のブロック構成図である。図１において１は２つの出力を持つスイッチングトランス、２は回路に直流電源を供給する直流電源、３はそのスイッチングトランスの１次巻線及びスイッチング素子を制御する制御巻線及び９のスイッチングトランジスタを含む１次側スイッチング回路、４と４１はスイッチングトランスの２つの２次巻線出力電圧を整流するためのそれぞれの電圧整流回路である。
【００１２】
５と５１はその整流された直流電圧を安定化するためのそれぞれの電圧安定化回路、６はその安定化された直流電圧のうちの基準となる直流電圧の変動を前記１次側スイッチング回路に帰還させることで１次側スイッチング動作を制御し電圧安定回路の出力直流電圧値を一定にするための制御をするスイッチング制御回路、７は５１の電圧安定化回路出力の直流電圧で駆動されるＰＤＰのパネルを駆動するための回路、８は５の電圧安定化回路から出力される直流電圧で供給するＰＤＰパネル駆動回路用基準電圧、１０は電源起動時に９のスイッチングトランジスタのベースバイアス電圧供給用の抵抗器という構成を有している。
【００１３】
以上のように構成されたＰＤＰ駆動回路ＲＣＣスイッチング電源について図１を用いてその動作を説明する。回路動作としては２の直流電源から１０の抵抗器を通して９のスイッチングトランジスタのベースに起動用電圧がまず印加され、そのスイッチングトランジスタのコレクタラインに１のスイッチングトランスの１次巻線を通して電流が流れ初期動作が始まる。このスイッチング動作制御としては、１のスイッチングトランスの２次巻線とその２次巻線出力電圧を整流するための４の電圧整流回路さらにその整流された直流電圧を安定化させる５の電圧安定回路、その負荷となる８のＰＤＰパネル駆動回路用基準電圧が接続され、この８のＰＤＰ駆動回路用基準電圧部の動作負荷条件によって５の電圧安定回路の出力電圧が変動する。これを６のスイッチング制御回路によって３の１次側スイッチング回路に負荷条件を帰還させることでその負荷条件下で５の電圧安定化回路出力電圧が一定となるようにスイッチング周波数を制御し電圧の安定化を実現している。
【００１４】
７のＰＤＰパネル駆動回路側の直流電圧の安定化は上記５、６，３からなる帰還制御は実施せず、１のスイッチングトランスのＰＤＰパネル駆動回路用の２次巻線出力を４１の電圧整流回路で直流電圧に整流しそれを５１のＡＶＲ型電圧安定回路で直流電圧を供給している。８のＰＤＰパネル駆動回路用基準電圧側が帰還型で安定化されるのでその２次巻線と巻線を共有している７のＰＤＰパネル駆動回路側の巻線出力も安定されるので５１のＡＶＲ型電圧安定回路での構成でも問題はない。このようなＰＤＰ駆動回路ＲＣＣスイッチング電源の構成にすることで本発明はスイッチングトランスや１次側スイッチング回路、スイッチング制御回路が１つで構成され回路規模の縮小が実現されている。
【産業上の利用可能性】
【００１５】
本発明は、主にプラズマディスプレイパネルの駆動回路に用いられるＲＣＣスイッチング電源に利用され、互いに違う２つの電圧を出力するためのトランスを有し、そして１つのトランスで２つの電圧出力中の１つの電圧を帰還させることで、２つの出力電圧の安定化を可能とするものである。
【図面の簡単な説明】
【００１６】
【図１】本発明の実施例１におけるＰＤＰ駆動回路ＲＣＣスイッチング電源のブロック構成図
【図２】従来のＲＣＣスイッチング電源の引例１のブロック構成図
【図３】従来のＰＤＰ駆動回路ＲＣＣスイッチング電源の引例２のブロック構成図
【符号の説明】
【００１７】
１    スイッチングトランス
２    直流電源
３    １次側スイッチング回路
５    電圧安定回路
６    スイッチング制御回路
７    ＰＤＰパネル駆動回路
１０    抵抗器
１１    スイッチングトランス
２１    入力端子
２２    直流電源
２４    入力ＧＮＤ端子
２６    ２次側整流平滑回路
２７    スナバ回路
３０    過電流検出回路
３１    電流検出抵抗
３２    主スイッチング回路
３３    １次側スイッチング回路
４１    電圧整流回路
４４    電圧整流回路
５１    電圧安定化回路
５３    低出力電圧時発振停止回路
５５    電圧安定化回路
６５    外部直流電源低下検出回路
６６    スイッチング制御回路
７３    直流出力端子
７４    出力側ＧＮＤ端子
７５    外部制御入力端子（Ｖｃｏｎｔ）
７６    外部直流電源（Ｖｃｃ）
９９    スイッチングトランジスタ
【図１】
2006149111.tif 000003
【図２】
2006149111.tif 000004
【図３】
2006149111.tif 000005